(57)【要約】  【課題】  各々放送媒体が異なる複数の放送信号が入力され得るため，選択対象となり得るチャンネル数が多い場合でも，チャンネル選択の際にスキップ対象とする設定或いはそれを解除する設定に要する手間を軽減できること。  【解決手段】  制御回路８は，放送メディア一括スキップ設定画面において１又は複数の放送メディアが選択されると，選択された放送メディアの全てのチャンネルを，チャンネル選択の候補から除外する（スキップする）旨を表すスキップチャンネル情報を前記データ記憶部１１に記憶させる。これにより，スキップチャンネル情報を，放送メディア（放送媒体）が共通する複数のチャンネルごとに一括して設定できる。【選択図】図１
2006109291.tif 000002
【特許請求の範囲】
【請求項１】
各々複数チャンネルの信号を含み各々放送媒体が異なる複数の放送信号が入力され，該複数の放送信号におけるチャンネルの中からいずれかのチャンネルを選択するチャンネル選択装置であって，
前記複数の放送信号におけるチャンネルについてチャンネル選択の候補とするか否かの区別を表すスキップチャンネル情報を操作入力に従って設定する手段であり，前記スキップチャンネル情報を前記放送媒体が共通する複数のチャンネルごとに一括して設定可能なスキップチャンネル一括設定手段を備えたスキップチャンネル設定手段と，
前記複数の放送信号におけるチャンネルのうち前記スキップチャンネル情報によりチャンネル選択の候補とされるものの中からいずれかのチャンネルを選択するチャンネル選択手段と，
を具備してなることを特徴とするチャンネル選択装置。
【請求項２】
予め定められた複数のチャンネル選択用符号各々と前記チャンネル選択手段により選択されたチャンネルとの対応付けを表すチャンネル対応付け情報を設定するチャンネル対応付け情報設定手段と，
操作入力に従って複数の前記チャンネル選択用符号の中からいずれかを選択するチャンネル選択用符号選択手段と，
前記チャンネル対応付け情報に基づいて前記チャンネル選択用符号選択手段により選択された前記チャンネル選択用符号に対応するチャンネルを出力対象として選択する出力チャンネル選択手段と，
を具備してなる請求項１に記載のチャンネル選択装置。
【請求項３】
前記チャンネル選択手段が，操作入力に従って出力対象とするチャンネルを選択するものである請求項１に記載のチャンネル選択装置。
【請求項４】
前記スキップチャンネル設定手段が，前記スキップチャンネル情報を１チャンネルごとに個別に設定可能なスキップチャンネル個別設定手段を備え，
前記スキップチャンネル情報が，前記スキップチャンネル個別設定手段により設定された第１のスキップチャンネル情報と前記スキップチャンネル一括設定手段により設定された第２のスキップチャンネル情報とを個別に有し，
前記チャンネル選択手段が，前記第１のスキップチャンネル情報と前記第２のスキップチャンネル情報との少なくとも一方にによりチャンネル選択の候補としない設定がなされているチャンネルをチャンネル選択の候補から除外してなる請求項１〜３のいずれかに記載のチャンネル選択装置。
【請求項５】
請求項１〜４のいずれかに記載のチャンネル選択装置を具備してなることを特徴とするテレビジョン受像機。
【請求項６】
各々複数チャンネルの信号を含み各々放送媒体が異なる複数の放送信号が入力され，該複数の放送信号におけるチャンネルの中からいずれかのチャンネルを選択するチャンネル選択方法であって，
前記複数の放送信号におけるチャンネルについてチャンネル選択の候補とするか否かの区別を表すスキップチャンネル情報を操作入力に従って設定する工程であり，前記スキップチャンネル情報を前記放送媒体が共通する複数のチャンネルごとに一括して設定可能なスキップチャンネル一括設定工程を有するスキップチャンネル設定工程と，
前記複数の放送信号におけるチャンネルのうち前記スキップチャンネル情報によりチャンネル選択の候補とされるものの中からいずれかのチャンネルを選択するチャンネル選択工程と，
を有してなることを特徴とするチャンネル選択方法。
【発明の詳細な説明】
【技術分野】
【０００１】
本発明は，複数のチャンネルの中から所望のチャンネルを選択するチャンネル選択装置及びそれを具備するテレビジョン受像機に関し，特に，放送信号におけるチャンネルの中からチャンネル選択の候補とせずにスキップするチャンネルを設定する機能を備えたチャンネル選択装置及びそれを具備するテレビジョン受像機並びにチャンネル選択方法に関するものである。
【背景技術】
【０００２】
テレビジョン受像機や録画装置（ビデオデッキ）等（以下，テレビジョン受像機等という）は，複数チャンネル分の信号（映像信号と音声信号とが重畳された信号）を含む放送信号が入力され，その中から，リモコン等の操作手段を通じて選択されたチャンネルの映像信号及び音声信号を抽出し，それらを自装置に設けられたモニタ及びスピーカ或いは外部接続された装置（録画装置に接続されたテレビジョン受像機等）に出力する。
ここで，リモコン等の操作手段には，予め定められた複数のチャンネル選択用の符号（例えば，「１，２，３…」等のチャンネル番号）の中から１の符号を選択するための選局キーが設けられ，その選局キーで選択されたチャンネル選択用符号に対応するチャンネルの映像信号及び音声信号が放送信号から抽出される。前記選局キーとしては，例えば，前記チャンネル選択用符号（例えば，１〜１２のチャンネル番号等）が各々付された複数の割当選局キーや，チャンネル選択用符号を順送り或いは逆送りに順次変化させるアップキー及びダウンキー等がある。
そして，テレビジョン受像機等は，前記チャンネル選択用符号各々と放送信号におけるチャンネルとを予め対応付ける（チャンネル選択用符号各々にチャンネルを割り当てる）機能（以下，チャンネル設定機能という）を備え，その対応付けに従って，前記選局キーによって選択された前記チャンネル選択用符号からチューナによって選択（抽出）すべきチャンネルが決定される。
【０００３】
ところで，前記チャンネル設定機能における処理では，放送信号における各チャンネルの全てが前記チャンネル選択用符号各々に対応付けられるわけではなく，一部のチャンネルについてその対応付けの対象から除外（スキップ）される。
従来の一般的なテレビジョン受像機等は，放送信号におけるチャンネルの中から，チャンネル選択の候補とせずにスキップするチャンネルを操作入力に従って１チャンネル毎に個別に設定（選択）する機能（以下，スキップチャンネル個別設定機能という）を有し，前記チャンネル選択用符号各々と放送信号におけるチャンネルとの対応付けを行う際に，予め前記スキップチャンネル個別設定機能により設定されたチャンネルについてはスキップしてチャンネルの対応付け（対応付け情報の設定）を行うものであった。
これにより，放送信号におけるチャンネルのうち，地域や電波状況等によって受信できないチャンネルや，ノイズが大きく視聴し難いチャンネル等の不要なチャンネルについて予めチャンネル選択の候補としない（スキップ対象とする）ように設定しておけば，そのような不要なチャンネルを除いて前記チャンネル選択用符号への効率的なチャンネル割り当てがなされ，また，出力対象とするチャンネルの選択時に不要な映像や音声（無画像の映像或いはノイズの大きい映像や音声等）が出力されてしまうことを防止できる。
また，特許文献１には，チャンネルＵＰキーとチャンネルＤＯＷＮキーとによって切り替えられる選局チャンネルの範囲として，ＣＳ放送における全チャンネルを選択可能とするか，予め設定された無料チャンネル及び契約済みチャンネルについてのみ選択可能とする（その他のチャンネルをスキップする）か，予め設定された複数のお好みチャンネルについてのみ選択可能とするかを選択することができるテレビジョン受像機が示されている。
その他，特許文献２には，チューナからの映像信号出力の同期信号成分を監視することにより受信チャンネルの有無を判別し，無局のチャンネルを選局時にスキップするボルテージシンセサイザー選局装置が示されている。
【特許文献１】特開平１０−２７６３７３号公報
【特許文献２】実開昭６３−１４２９１７号公報
【特許文献３】特許第２７１５４６９号公報
【発明の開示】
【発明が解決しようとする課題】
【０００４】
ところで，テレビジョン受像機等には，地上波放送信号やＢＳ放送信号，ＣＳ放送信号，ＣＡＴＶ信号等の放送媒体が各々異なる複数の放送信号が入力され，その各々についてのチューナを備えるものがある。
例えば，特許文献３には，地上波放送（通常のテレビジョン放送）用のチューナとＣＳ放送用のチューナとを備え，チャンネルアップ／ダウンキーにより，通常のテレビジョン放送のチャンネルと衛星放送のチャンネルとが順次連続的に切り替えられるようにしたテレビジョン受像機が示されている。
このような複数の放送媒体に対応したテレビジョン受像機等においては，選択対象となるチャンネルの数が非常に多く，利用者が視聴しない或いは視聴できないチャンネルの数も多い場合がある。
例えば，そもそも１又は複数の放送媒体に対応する受信装置（衛星放送受信用アンテナやＣＡＴＶ信号受信用のケーブルモデム等）を設置していない場合や，設置していても受信契約を行っていないチャンネルが多い場合等には，予めスキップ対象としたい（チャンネル選択の候補から除外されるよう設定したい）チャンネルの数が多くなる。
しかしながら，従来のスキップチャンネル個別設定機能によれば，スキップ対象としたいチャンネル，或いはスキップ対象から除外したい（元に戻したい）チャンネルの数が多い場合，その設定作業に多大な手間がかかるという問題点があった。
従って，本発明は上記事情に鑑みてなされたものであり，その目的とするところは，各々放送媒体が異なる複数の放送信号が入力され得るため，選択対象となり得るチャンネル数が多い場合でも，チャンネル選択の際にスキップ対象とする設定或いはそれを解除する設定に要する手間を軽減できるチャンネル選択装置及びそれを具備するテレビジョン受像機並びにチャンネル選択方法を提供することにある。
【課題を解決するための手段】
【０００５】
上記目的を達成するために本発明は，各々複数チャンネルの信号を含むとともに，各々放送媒体（地上波放送，ＣＳ放送，ＢＳ放送，ＣＡＴＶ放送等）が異なる複数の放送信号が入力され，その信号におけるチャンネルの中からいずれかのチャンネルを選択するチャンネル選択装置やそれを具備するテレビジョン受像機，或いはチャンネル選択方法に適用されるものであり，前記複数の放送信号におけるチャンネルについてチャンネル選択の候補とするか否かの区別を表す情報であるスキップチャンネル情報を操作入力に従って設定する機能（以下，スキップチャンネル設定機能という）において，前記スキップチャンネル情報を前記放送媒体が共通する複数のチャンネルごとに一括して設定可能とする機能（以下，スキップチャンネル一括設定機能という）を設け，さらに，前記複数の放送信号におけるチャンネルのうち，前記スキップチャンネル情報によりチャンネル選択の候補とされるものの中から（即ち，チャンネル選択の候補としないものをスキップして）いずれかのチャンネルを選択する機能（以下，チャンネル選択機能という）を備えたものである。
これにより，利用者が視聴しない或いは視聴できない放送媒体のチャンネルについては，スキップする設定（或いはそれを解除する設定）を放送媒体ごとに一括設定できるので，選択対象となり得るチャンネル数が多い場合でも，チャンネルスキップの設定或いはそれを解除する設定に要する手間を軽減できる。
【０００６】
ここで，前記チャンネル選択機能に基づいてモニタやスピーカ等への出力対象とするチャンネルを選択する方式としては，例えば，予め定められた複数のチャンネル選択用符号（１〜１２のチャンネル番号等）各々と前記チャンネル選択機能により選択されたチャンネルとの対応付けを表すチャンネル対応付け情報を予め設定しておき，操作入力（リモコンやテレビ受像機本体等に設けられた操作キー等を通じた入力）に従って複数の前記チャンネル選択用符号の中からいずれかが選択された場合に，前記チャンネル対応付け情報に基づいて，選択された前記チャンネル選択用符号に対応するチャンネルを出力対象として選択する方式が考えられる。
この方式における前記チャンネル選択機能は，例えば，特許文献２に示される技術のように前記放送信号におけるチャンネル各々についてその受信有無を順次自動的に判別し，有局のチャンネル（受信されているチャンネル）についてのみ前記チャンネル選択用符号との対応付けを行うような場合に，前記放送信号におけるチャンネルの中からスキップ対象に設定されたチャンネルを除いた残りのチャンネルについ自動的に順次１チャンネルずつ選択する機能とすることが考えられる。この場合，その選択したチャンネルを前記受信有無の判別対象とする。また，前記放送信号におけるチャンネルの中からスキップ対象に設定されたチャンネルを除いた残りのチャンネルを選択候補とし，その選択候補の中から操作入力に従って１つのチャンネルを前記チャンネル選択用符号との対応付けを行うチャンネルとして選択する機能とすることも等考えられる。
一方，前記チャンネル選択機能に基づいて出力対象とするチャンネルを選択する他の方式としては，前記チャンネル選択機能自体を，操作入力に従って出力対象とするチャンネルを選択する機能とする方式も考えられる。
【０００７】
また，前記スキップチャンネル設定機能が，前記スキップチャンネル情報を１チャンネルごとに個別に（独立して）設定可能とするスキップチャンネル個別設定機能（従来の機能）を有する場合に，前記スキップチャンネル情報として，前記スキップチャンネル個別設定機能により設定されたスキップチャンネル情報（第１のスキップチャンネル情報）と，前記スキップチャンネル一括設定機能により設定されたスキップチャンネル情報（第２のスキップチャンネル情報）とを個別に設定（記憶）し，前記チャンネル選択機能において，前記第１のスキップチャンネル情報と前記第２のスキップチャンネル情報との少なくとも一方にチャンネル選択の候補としない設定がなされているチャンネルについてはチャンネル選択の候補から除外するよう処理することが考えられる。
これにより，例えば，一部のチャンネルを個別にスキップ対象に設定して使用し，その後一時的に，それまで個別にスキップ対象に設定していたチャンネルと放送媒体が共通するチャンネルを一括してスキップ対象に設定して使用している場合に，再び元の状態（チャンネル個別にスキップ対象とした状態）に戻す手間が簡便となり好適である。即ち，一括してスキップ対象にした設定を前記スキップチャンネル一括設定機能により一括解除するだけでよく，前記スキップチャンネル個別設定機能により再びチャンネルを個別にスキップ対象にして元の状態に戻す手間が省ける。
【発明の効果】
【０００８】
本発明によれば，チャンネル選択の候補とするか否かの区別を表す情報であるスキップチャンネル情報を操作入力に従って設定する場合に，そのスキップチャンネル情報を放送媒体が共通する複数のチャンネルごとに一括して設定可能であるので，利用者が視聴しない或いは視聴できない放送媒体のチャンネルについてのスキップ設定（或いはそれを解除する設定）に要する手間を軽減できる。特に，ＣＳ放送等のチャンネル数が多い放送媒体についてのスキップ設定の手間を大幅に軽減できる。
さらに，前記スキップチャンネル情報を１チャンネルごとに個別に設定することも可能とし，その個別に設定されたチャンネルに対応するスキップチャンネル情報と，放送媒体ごとに一括設定されたチャンネルに対応するスキップチャンネル情報とを個別に設定（記憶）するものであれば，ある放送媒体の全チャンネルについて一時的に一括スキップ設定して使用し，その後，一部のチャンネルについて個別にスキップ設定された元の状態に戻して使用したいといったニーズに対し，その元の状態に戻す手間が簡便となり好適である。
【発明を実施するための最良の形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係るテレビジョン受像機Ｘの概略構成を表すブロック図，図２はテレビジョン受像機Ｘの操作用リモコンのキー配置図，図３はテレビジョン受像機Ｘにおけるチャンネル設定処理の際の表示画面の第１の例を表す図，図４はテレビジョン受像機Ｘにおけるチャンネル設定処理の際の表示画面の第２の例を表す図，図５はテレビジョン受像機Ｘにおけるスキップチャンネル情報の構成例を表す図，図６はテレビジョン受像機Ｘにおけるチャンネル選択処理の手順を表すフローチャート，図７は本発明の実施例に係るテレビジョン受像機におけるスキップチャンネル設定画面の一例を表す図，図８は本発明の実施例に係るテレビジョン受像機におけるスキップチャンネル情報の構成例を表す図，図９は本発明の実施例に係るテレビジョン受像機におけるチャンネル選択処理の手順を表すフローチャートである。
【００１０】
まず，図１のブロック図を用いて，本発明の実施形態に係るテレビジョン受像機Ｘの構成について説明する。
テレビジョン受像機Ｘは，地上波放送受信用のアンテナ１ａに接続され，そのアンテナ１ａにより受信された地上波放送信号が入力される地上波放送用チューナ２（地上波放送チューナ）と，衛星アンテナ１ｂに接続され，その衛星アンテナ１ｂにより受信された衛星放送信号が入力される衛星放送用チューナ３（衛星放送チューナ）と，ケーブルテレビ局からの放送信号（以下，ケーブルテレビジョン放送信号という）が入力されるケーブルテレビジョン放送用チューナ４（ＣＡＴＶチューナ）とを具備している。各チューナ２，３，４に入力される各放送信号には，チャンネルごとに映像信号及び音声信号が重畳された信号（以下，チャンネル信号という）が複数チャンネル分含まれている（重畳されている）。
このように，テレビジョン受像機Ｘは，３つのチューナ２，３，４を備えることにより，各々複数チャンネル分の信号を含み，かつ各々放送媒体（地上波放送，衛星放送（ＢＳ放送若しくはＣＳ放送等）或いはＣＡＴＶ放送）が異なる複数の放送信号が入力される。以下，これら放送媒体のことを放送メディアという。そして，後述するように，これら複数の放送信号におけるチャンネルの中からいずれかのチャンネルを選択する機能を備えている。
各チューナ２，３，４は，各々入力された放送信号から，指定されたチャンネルの前記チャンネル信号を抽出する。
【００１１】
テレビジョン受像機Ｘは，さらに，セレクタ５，映像音声処理回路６，映像音声出力部７，制御回路８，操作部９，無線インターフェース（Ｉ／Ｆ）１０及びデータ記憶部１１を具備している。
前記セレクタ５は，各チューナ２，３，４によって抽出された前記チャンネル信号が入力され，それらの中からいずれかの前記チャンネル信号を選択して前記映像音声処理回路６へ伝送するものである。
前記映像音声処理回路６は，前記チャンネル信号に重畳されている映像信号及び音声信号に対して各種信号処理を行い，処理後の映像信号及び音声信号を前記映像音声出力部７へ伝送する。
前記映像音声処理回路６は，例えば，映像信号と音声信号の分離（検波），映像信号からの水平及び垂直同期信号の分離，その同期信号に位相同期したクロック信号の生成，映像信号からの輝度信号及び色信号の分離，所定の画質改善処理，前記画質改善処理後の映像中に前記制御回路８から指定された情報を表す映像を合成（スーパーインポーズ）してＯＳＤ（On Screen Display）メニューを表示させる処理，前記音声信号の音量調節処理，前記映像音声出力部７が備えるスピーカの特性に合わせた音声信号のイコライズ処理やサラウンド処理等を行う。
前記映像音声出力部７は，映像信号を映像画面として出力するモニタ及び音声信号を出力するスピーカを備え，前記映像音声処理回路６から伝送されてくる映像信号のモニタ出力及び音声信号のスピーカ出力を行うものである。
前記操作部９は，操作ボタンやスイッチ等からなる操作入力手段であり，操作内容に応じて，前記映像音声出力部７からの出力対象とするチャンネルの指定（選局）や画面の表示内容の指定等に関する各種の動作指定コードを前記制御回路８へ伝送する。
前記無線インターフェース１０は，各種操作キーが設けられた操作入力手段であるリモコン３０から，前記動作指定コードを無線（赤外線等）で受信し，前記制御回路８へ伝送するものである。
前記データ記憶部１１は，例えばＥＥＰＲＯＭ等の書き換え可能な記憶手段であり，前記制御回路８により読み書きされるデータが記憶される。
【００１２】
前記制御回路８は，演算手段としてのマイコン及びそのマイコンにより実行される制御プログラムが予め記憶されるＲＯＭ等の周辺装置を備え，前記マイコンが制御プログラムを実行することにより，当該テレビジョン受像機Ｘの各構成要素の制御を行う。
例えば，前記操作部９又は前記リモコン３０に対する操作入力に応じた前記動作指定コードに従って，前記チューナ２，３，４各々に対して抽出すべきチャンネル（チャンネル信号）を指定する処理や，前記セレクタ５に対して前記映像音声出力部７に出力させるチャンネルを指定する処理，前記ＯＳＤメニューとして表示させる情報を指定する処理，予め定められた複数のチャンネル選択用の符号（以下，チャンネル符号という）各々と複数の前記放送信号におけるチャンネルとの対応付けを行うチャンネル設定処理等を行う。
図１に示すテレビジョン受像機Ｘにおいて，前記映像音声処理回路６及び前記映像音声出力部６を除いた残りの部分は，各々複数チャンネルの信号を含むとともに，各々放送媒体が異なる複数の放送信号が入力され，その複数の放送信号におけるチャンネルの中からいずれかのチャンネルを選択するチャンネル選択装置の一例を構成するものであり，これは，録画装置等の他の装置への適用も可能である。
【００１３】
図２は前記リモコン３０のキー配置の一例を表す図である。
前記リモコン３０には，テレビジョン受像機Ｘの電源ＯＮ／ＯＦＦを切り替える電源キー３１，出力対象とするチャンネルをダイレクトに選択するキーであり，予め定められた複数のチャンネル選択用の符号である選局符号（本実施形態，１〜１２）各々に対応付けられた複数の割当選局キー３２，出力対象とするチャンネルを，これに予め対応付けられた前記選局符号の昇順或いは降順に順次選択するキーである順次選局キー３３，前記ＯＳＤメニューを表示させるためのメニューキー３４，音量調節を行うための音声調節キー３５，前記ＯＳＤメニューが表示された場合に，選択項目の変更等に用いられる４つの方向キー（上方向キー３６Ｕ，下方向キー３６Ｄ，左方向キー３６Ｌ，右方向キー３６Ｒ）及び選択の確定に用いられる決定キー３６Ｋからなる選択キー３６等が設けられている。
ここで，前記順次選局キー３３は，チャンネルを前記選局符号の昇順に順次選択（順次選局）するアップキー３３Ｕと，同じく降順に順次選択するダウンキー３３Ｄからなる。なお，この順次選局キー３３と同等の機能を果たすキーは，テレビジョン受像機Ｘ本体の前記操作部１０にも存在し，以下，そのキーも含めて順次選局キー３３という。
前記リモコン３０は，操作されたキー各々について予め定められた前記動作指定コードを無線発信し，その発信された動作指定コードが前記無線インターフェース１０を通じて前記制御回路８に伝送され，前記制御回路８が前記動作指定コードに対応した各種の制御を実行する。
チャンネルの選択方式は，前記順次選局キー３３の操作により，前記選局符号を昇順或いは降順に順次選択することにより，前記選局符号に予め対応付けられたチャンネルを順次選択する順次選局方式，前記割当選局キー３２の操作により，前記選局符号に予め対応付けられたチャンネルをダイレクトに選択するダイレクト選局方式の他，ＣＡＴＶキー３７を操作した後の一定期間内のテンキー（前記割当選局キー３２の一部を兼用）の入力操作により，入力された数字に対応するＣＡＴＶ放送のチャンネルを選択するテンキー選局方式がある。
【００１４】
図３及び図４は，テレビジョン受像機Ｘにおけるチャンネル設定処理の際の表示画面の一例を表すものである。
以下，図３及び図４を用いて，テレビジョン受像機Ｘにおけるチャンネル設定処理について説明する。
ここで，チャンネル設定処理とは，予め定められた複数の前記選局符号（チャンネル選択用の符号（本実施形態では，１〜１２の番号））各々と放送信号におけるチャンネルとを予め対応付け，その対応付けの情報であるチャンネル設定情報を記憶する処理である。以下に示す前記制御回路８の処理は，該制御回路８が備えるＭＰＵ（演算手段）が所定の制御プログラムを実行することにより具現される。
チャンネル設定処理は，前記リモコン３０の前記メニューキー３４及びその他のキーの操作により，チャンネル設定処理の所定の開始操作がなされたことが前記制御回路８により検知された場合に開始する。
前記制御回路８は，チャンネル設定処理を開始させる所定の操作入力がなされたことを検知すると，前記映像音声処理回路６を制御することにより，図３（ａ）に示すような放送メディア一括スキップ設定画面ｇ１をＯＳＤメニューとして前記映像音声出力部７に表示させる。
この放送メディア一括スキップ設定画面ｇ１は，複数の放送メディア（図３（ａ）では，アナログＵＨＦ／ＶＨＦ放送，ＣＡＴＶ放送，ＢＳ放送）の中から１又は複数を選択するか，或いはいずれも選択しないかを設定（選択）するための画面である。
【００１５】
前記制御回路８は，この放送メディア一括スキップ設定画面ｇ１に対する前記リモコン３０による操作入力に従って，各々放送メディアが異なる複数の放送信号におけるチャンネルについて，チャンネル選択の候補とするか否かの区別を表すスキップチャンネル情報を設定する（スキップチャンネル設定手段の一例）。
より具体的には，前記制御回路８は，この放送メディア一括スキップ設定画面ｇ１において１又は複数の放送メディアが選択された後に前記決定キー３６Ｋが操作されたことを検知すると，選択された放送メディアの全てのチャンネルを，前記チャンネル設定処理におけるチャンネル選択の候補から除外する（スキップする）旨を表す前記スキップチャンネル情報を前記データ記憶部１１に記憶させる（設定する）。これにより，前記スキップチャンネル情報を，放送メディア（放送媒体）が共通する複数のチャンネルごとに一括して設定できる（スキップチャンネル一括設定手段の一例）。
なお，既にスキップ対象として設定されている放送メディアを再度選択すると，スキップ対象の設定が解除される。
このような放送メディア（放送媒体）ごとの一括スキップ設定により，チャンネル選択の際にスキップ対象とする設定或いはそれを解除する設定に要する手間を大幅に軽減できる。
図５（ａ）は，前記データ記憶部１１に記憶される前記スキップチャンネル情報の構成例を表す。
前記スキップチャンネル情報は，例えば図５（ａ）に示すように，放送信号における各チャンネルを表すチャンネル識別コードｄ１と，放送メディアが共通する複数のチャンネルごとに，それらのチャンネルをチャンネル選択の対象とするか否かの区別を表す一括スキップフラグｄ２とを有している。
前記制御回路８は，前記放送メディア一括スキップ設定画面ｇ１に対する操作入力から放送メディアの選択状況を検知し，選択された放送メディアに対応する前記一括スキップフラグｄ２を「１」に設定するとともに，選択されなかった放送メディアに対応する前記一括スキップフラグｄ２を「０」に設定する。ここで，「０」はスキップ対象としない旨を表し，「１」はスキップ対象とする旨を表す。
【００１６】
前記放送メディア一括スキップ設定画面ｇ１における放送メディアの選択及びその選択に基づく前記スキップチャンネル情報の設定が終了すると，前記制御回路８は，前記映像音声処理回路６を制御することにより，図３（ｂ）に示すチャンネル設定方法選択画面ｇ２をＯＳＤメニューとして前記映像音声出力部７に表示させる。
このチャンネル設定方法選択画面ｇ２は，前記選局符号と放送信号におけるチャンネルとの対応付けを行うチャンネル設定処理について，有効なチャンネル（放送信号中に信号が存在するチャンネル）を自動検出し，検出されたチャンネルと前記選局符号との対応付けを順次自動的に行う旨を表す「自動設定」と，地域番号を指定して予め地域番号ごとに定められた前記対応付けを行う旨を表す「地域番号指定」と，操作入力に従って（手動で）チャンネル毎に個別に前記選局符号との対応付けを行う旨を表す「個別設定」との中から，いずれかを選択するための画面である。
前記制御回路８は，前記チャンネル設定方法選択画面ｇ２において，「自動設定」が選択されたことを検知した場合，前記映像音声処理回路６を制御することにより，図４（ａ）に示す自動設定確認画面ｇ３をＯＳＤメニューとして前記映像音声出力部７に表示させ，さらに，その画面ｇ３に対して処理を開始する旨の操作（前記決定キー３６Ｋの操作）がなされたことを検知すると，チャンネルと前記選局符号との対応付け処理を自動で行う。
同様に，「地域番号指定」が選択されたことを検知した場合，前記制御回路８は，図４（ｂ）に示す地域番号指定画面ｇ４をＯＳＤメニューとして前記映像音声出力部７に表示させ，さらに，その画面ｇ４に対して地域番号の入力及び処理の開始操作（前記決定キー３６Ｋの操作）がなされたことを検知すると，予め地域番号ごとに定められた設定テーブルに従って，チャンネルと前記選局符号との対応付け処理を自動で行う。
【００１７】
一方，前記制御回路８は，前記チャンネル設定方法選択画面ｇ２において，「個別設定」が選択されたことを検知した場合，前記映像音声処理回路６を制御することにより，図４（ｃ）に示す個別チャンネル設定画面ｇ５をＯＳＤメニューとして前記映像音声出力部７に表示させる。この画面ｇ５では，前記右方向キー３６Ｒ又は前記左方向キー３６Ｌの操作により，前記選局符号（図中，「リモコン番号」と表す），チャンネル（図中，「受信チャンネル」と表す）及び画面に表示させる表示符号（図中，「チャンネル表示」と表す）の各々の選択操作がなされ，前記制御回路８は，その操作入力に従って，例えば図５（ｂ）に示すような構成を有するチャンネル設定情報を前記データ記憶部１１に記憶させる。
図５（ｂ）に示す前記チャンネル設定情報は，選択された前記選局符号ｄ４，チャンネルｄ５及び表示符号ｄ６の対応付け（組み合わせ）の情報である。
このように，前記制御回路８は，予め定められた複数の前記選局符号ｄ４（チャンネル選択用符号の一例）各々と，後述する当該制御回路８（チャンネル選択手段の一例）によるチャンネル選択処理により選択されたチャンネルとの対応付けを表す前記チャンネル設定情報（チャンネル対応付け情報の一例）を設定する（チャンネル対応付け情報設定手段の一例）。
【００１８】
以上のようにして設定（記憶）されたチャンネル設定情報は，以後，出力対象とするチャンネルの選択（選局）に用いられる。
即ち，前記リモコン３０（チャンネル選択用符号選択手段の一例）により，操作入力に従って複数の前記選局符号（チャンネル選択用符号）の中からいずれかが選択（指定）された場合に，前記制御回路８は，前記チャンネル設定情報（チャンネル対応付け情報の一例）を参照し，これに基づいて前記リモコン３０（チャンネル選択用符号選択手段）により選択された前記選局符号（チャンネル選択用符号）に対応するチャンネル（放送信号中のチャンネル）を出力対象として選択する（出力チャンネル選択手段の一例）。
より具体的には，前記制御回路８は，選択（指定）された前記選局符号に対応するチャンネルの映像及び音声が前記映像音声出力部７により出力されるよう各チューナ２，３，４及び前記セレクタ５を制御するとともに，指定された前記選局符号に対応する前記表示符号ｄ６が，出力映像に合成されるよう前記映像音声処理回路６を制御する。
なお，前記リモコン３０による前記選局符号の選択方式としては，前述したように，前記順次選局キー３３の操作に基づく前記順次選局方式や，前記割当選局キー３２の操作に基づく前記ダイレクト選局方式等がある。
【００１９】
次に，図６に示すフローチャートを用いて，前記個別チャンネル設定画面ｇ５における，チャンネル（「受信チャンネル」）の選択処理について説明する。以下，Ｓ１，Ｓ２，…は，処理手順（ステップ）の識別符号を表す。
まず，前記制御回路８は，最初に前記個別チャンネル設定画面ｇ５に表示されるチャンネル（「受信チャンネル」）を仮選択されたチャンネルとして設定する（Ｓ１）。
次に，前記制御回路８は，前記個別チャンネル設定画面ｇ５において，チャンネル選択の終了操作として前記下方向キー３６Ｄ又は前記上方向キー３６Ｕがなされたか否か，及びチャンネル（「受信チャンネル」）の選択操作（選局操作）として，前記右方向キー３６Ｒ又は前記左方向キー３６Ｌの操作入力がなさたか否かを監視する（Ｓ２，Ｓ３）。
ここで，選局操作があったことが検知されると（Ｓ３のＹ），前記右方向キー３６Ｒの操作入力があった場合は，現在表示中のチャンネルの次（チャンネルを予め定められた順序（例えば，昇順）で並べたときの１つ後）のチャンネルを仮の選択結果として選択し，前記左方向キー３６Ｌの操作入力があった場合は，現在表示中のチャンネルの前（チャンネルを予め定められた順序で並べたときの１つ前）のチャンネルを仮選択チャンネルとして設定する（Ｓ４）。
【００２０】
次に，前記制御回路８は，前記スキップチャンネル情報（図５（ａ））を参照し，前記仮選択チャンネルの放送メディアに対応する前記一括スキップフラグｄ２がスキップ対象メディアである旨の設定であるか否か（「１」であるか否か）を判別する（Ｓ５）。
ここで，スキップ対象メディアである（一括スキップフラグｄ２が「１」である）と判別された場合は，前記制御回路８は，ステップＳ３で検知されたキー操作の内容（前記右方向キー３６Ｒ又は前記左方向キー３６Ｌの操作）に応じて，そのとき仮選択されているチャンネル（仮選択チャンネル）の放送メディアの１つ次の放送メディア（複数の放送メディアを予め定められた順序で並べたときの１つ後）における先頭チャンネル，又は１つ前の放送メディアを前記仮選択チャンネルとし（Ｓ６），再度，ステップＳ５に処理を戻す。
一方，ステップＳ５において，前記仮選択チャンネルの放送メディアが，スキップ対象メディアでない（一括スキップフラグｄ２が「０」である）と判別された場合は，前記制御回路８は，前記映像音声処理回路６を制御することにより，その時点の前記仮選択チャンネルを前記個別チャンネル設定画面ｇ５の「受信チャンネル」の選択結果として表示させ（Ｓ７），その後，前述したステップＳ２に処理を戻す。
そして，ステップＳ２において，チャンネル選択の終了操作（前記下方向キー３６Ｄ又は前記上方向キー３６Ｕの操作）がなされたことが検知された場合は，前記制御回路８は，その時点の前記仮選択チャンネルを，最終的に選択されたチャンネルとして記憶するとともに（Ｓ７），当該チャンネル選択処理を終了させる。
【００２１】
以上の処理により，前記個別チャンネル設定画面ｇ５におけるチャンネル選択の際，前記右方向キー３６Ｒの操作入力が１回あるごとに，順次昇順にチャンネル（受信チャンネル）が選択（選択結果として表示）され，また，前記左方向キー３６Ｌの操作入力が１回あるごとに，順次降順にチャンネル（受信チャンネル）が選択されることになる。その際，ステップＳ５及びＳ６の処理により，前記一括スキップフラグｄ２によりチャンネル選択の候補としない設定がなされているチャンネルはスキップされる（選択候補から除外される）ので，複数の放送メディアの放送信号におけるチャンネルのうち，前記スキップチャンネル情報によりチャンネル選択の候補とされるものの中からいずれかのチャンネルが選択される（ステップＳ１〜Ｓ８を実行する前記制御回路８が，チャンネル選択手段の一例）。
その結果，多数のチャンネルのうち選択する必要がないものは選択肢から除外されるので，チャンネル選択操作の負担が軽減される。
【実施例】
【００２２】
前述した実施形態は，前記スキップチャンネル情報に基づくチャンネル選択処理を，前記選局符号（チャンネル選択用符号）各々と対応付けるチャンネルの選択（図４（ｃ）における「受信チャンネル」の選択）に用いるものであったが，他に用いる実施例も考えられる。
本発明の実施例に係るテレビジョン受像機は，前記スキップチャンネル情報に基づくチャンネル選択処理を，前記リモコン３０の操作入力に従って出力対象とするチャンネルを選択する処理として実行するものである。以下，そのような実施例について説明する。
本実施例に係るテレビジョン受像機も，図１に示す前記テレビジョン受像機Ｘと同じハードウェア構成で実現される。なお，前記選局符号とチャンネルとの対応付けを表す前記チャンネル設定情報（図５（ｂ）参照）は，予め設定されているものとする。
本実施例に係るテレビジョン受像機における前記制御回路８は，前記リモコン３０の前記メニューキー３４及びその他のキーの操作により，「一括スキップチャンネル設定」の処理又は「個別スキップチャンネル設定」の処理を開始させる所定の操作入力がなされたことが検知された場合に，前記映像音声処理回路６を制御することにより，各々図７（ａ）に示すような一括スキップチャンネル設定画面ｇ６又は図７（ｂ）に示すような個別スキップチャンネル設定画面ｇ７をＯＳＤメニューとして前記映像音声出力部７に表示させる。
【００２３】
前記一括スキップチャンネル設定画面ｇ６は，前記放送メディア一括スキップ設定画面ｇ１（図３（ａ））と同様に，複数の放送メディア（例えば，アナログＵＨＦ／ＶＨＦ放送，ＣＡＴＶ放送，ＢＳ放送）の中から１又は複数を選択するか，或いはいずれも選択しないかを設定（選択）するための画面である。
そして，前記制御回路８は，この一括スキップチャンネル設定画面ｇ６に対する操作入力により選択された放送メディアの全てのチャンネルを，出力対象とするチャンネルの選択の候補から除外する（スキップする）旨を表すスキップチャンネル情報を前記データ記憶部１１に記憶させる（設定する）。
一方，前記個別スキップチャンネル設定画面ｇ７は，複数の放送信号におけるチャンネルの中から，チャンネルを順次１つずつ選択するための画面である。
そして，前記制御回路８は，この個別スキップチャンネル設定画面ｇ７に対する操作入力により選択された１チャンネルごとに個別に，出力対象とするチャンネルの選択の候補から除外する（スキップする）旨を表すスキップチャンネル情報を前記データ記憶部１１に記憶させる（スキップチャンネル個別設定手段の一例）。
なお，前記一括スキップチャンネル設定画面ｇ６及び前記個別スキップチャンネル設定画面ｇ７において，既にスキップ対象として設定されている放送メディア或いはチャンネルを再度選択すると，スキップ対象の設定が解除される。
【００２４】
図８に，本発明の実施例に係るテレビジョン受像機における前記スキップチャンネル情報の構成例を表す。
図８に示すように，本実施例における前記スキップチャンネル情報は，放送信号における各チャンネルを表す前記チャンネル識別コードｄ１と，放送メディアが共通する複数のチャンネルごとに，それらのチャンネルをチャンネル選択の対象（候補）とするか否かの区別を表す前記一括スキップフラグｄ２とに加え，チャンネル個々についてチャンネル選択の対象とするか否かの区別を表す個別スキップフラグｄ３を有している。
このように，本実施例における前記スキップチャンネル情報においては，前記制御回路８（スキップチャンネル個別設定手段の一例）により前記個別スキップチャンネル設定画面ｇ７への操作入力に基づいて設定された前記個別スキップフラグｄ３（第１のスキップチャンネル情報の一例）と，同じく前記制御回路８（スキップチャンネル一括設定手段の一例）により前記一括スキップチャンネル設定画面ｇ６への操作入力に基づいて設定された前記一括スキップフラグｄ２（第２のスキップチャンネル情報の一例）とを個別に（独立して）設定される。
【００２５】
次に，図９に示すフローチャートを用いて，本発明の実施例に係るテレビジョン受像機における出力チャンネル選択処理の手順について説明する。
本実施例に係る前記制御回路８によるチャンネル選択処理（図９）は，前記スキップチャンネル情報に基づくチャンネル選択処理を，前記リモコン３０の操作入力に従って出力対象とするチャンネルを選択する処理として実行するものであり（出力チャンネル選択手段の一例）， 前記順次選局方式で出力チャンネルが選択される場合，即ち，前記リモコン３０における前記順次選局キー３３の操作により，前記選局符号を昇順或いは降順に順次選択することにより，前記選局符号に予め対応付けられたチャンネルを順次選択する場合の処理を表す。
まず，前記制御回路８は，その時点で前記映像音声出力部７を通じて出力中のチャンネルを仮選択チャンネルとして設定する（Ｓ１１）。
次に，前記制御回路８は，チャンネル（出力チャンネル）の選択操作（選局操作）として，前記順次選局キー３３（アップキー３３Ｕ又はダウンキー３３Ｄ）の操作入力がなさたか否かを監視する（Ｓ１２）。
ここで，選局操作があったことが検知されると（Ｓ１２のＹ），図６のステップＳ４と同様に，前記アップキー３３Ｕの操作入力があった場合は，現在表示中のチャンネルの次のチャンネルを仮の選択結果として選択し，前記ダウンキー３３Ｄの操作入力があった場合は，現在出力中のチャンネルの前のチャンネルを仮選択チャンネルとして設定する（Ｓ１３）。
【００２６】
次に，前記制御回路８は，前記スキップチャンネル情報（図８）を参照し，前記仮選択チャンネルの放送メディアに対応する前記一括スキップフラグｄ２がスキップ対象メディアである旨の設定であるか否か（「１」であるか否か）を判別する（Ｓ１４）。
ここで，スキップ対象メディアである（一括スキップフラグｄ２が「１」である）と判別された場合は，前記制御回路８は，ステップＳ１２で検知されたキー操作の内容（前記アップキー３３Ｕ又は前記ダウンキー３３Ｄの操作）に応じて，そのとき仮選択されているチャンネル（仮選択チャンネル）の放送メディアの１つ次の放送メディアにおける先頭チャンネル，又は１つ前の放送メディアを前記仮選択チャンネルとし（Ｓ１５），再度，ステップＳ１４に処理を戻す。
同様に，前記仮選択チャンネルに対応する前記個別スキップフラグｄ３がスキップ対象チャンネルである旨の設定であるか否か（「１」であるか否か）を判別し（Ｓ１６），スキップ対象チャンネルである（個別スキップフラグｄ３が「１」である）と判別された場合は，前記制御回路８は，ステップＳ１２で検知されたキー操作の内容（前記アップキー３３Ｕ又は前記ダウンキー３３Ｄの操作）に応じて，そのとき仮選択されているチャンネル（仮選択チャンネル）の１つ次のチャンネル又は１つ前のチャンネルを前記仮選択チャンネルとし（Ｓ１７），再度，ステップＳ１４に処理を戻す。
このようにして，前記仮選択チャンネルが，前記一括スキップフラグｄ２と前記個別スキップフラグｄ３との少なくとも一方に基づけば，スキップ対象であると判別される限りは放送メディア単位若しくはチャンネル単位でチャンネルが順次スキップされる（選択候補から除外される）。
そして，前記仮選択チャンネルが，前記一括スキップフラグｄ２と前記個別スキップフラグｄ３とのいずれに基づいてもスキップ対象でないと判別されると（Ｓ１６のＮ），前記制御回路８は，そのときの前記仮選択チャンネルを最終的な選択チャンネルとし，その選択チャンネルが前記映像音声出力部７から出力されるようチューナ２，３，４及びセレクタ５等を制御し（Ｓ１８），前述したステップＳ１２へ処理を戻す。
【００２７】
以上の処理により，前記アップキー３３Ｕの操作入力が１回あるごとに，順次昇順にチャンネル（出力チャンネル）が選択され，また，前記ダウンキー３３Ｄの操作入力が１回あるごとに，順次降順にチャンネルが選択されることになる。
その際，前記制御回路８（チャンネル選択手段の一例）によるステップＳ１３〜Ｓ１８の処理により，前記個別スキップフラグｄ３（第１のスキップチャンネル情報の一例）と前記一括スキップフラグｄ２（第２のスキップチャンネル情報の一例）との少なくとも一方にによりチャンネル選択の候補としない設定がなされているチャンネルは，出力対象とするチャンネルの選択候補から除外される。
その結果，多数のチャンネルのうち選択する必要がないものは選択肢から除外されるので，チャンネル選択操作の負担が軽減される。
また，例えば，一部のチャンネルを個別にスキップ対象に設定して使用し，その後一時的に，それまで個別にスキップ対象に設定していたチャンネルと放送媒体が共通するチャンネルを一括してスキップ対象に設定して使用し，再び元の状態（チャンネル個別にスキップ対象とした状態）に戻すといった操作の手間が簡便となり好適である。即ち，前記一括スキップチャンネル設定画面ｇ６を表示させ，一括してスキップ対象にした設定を一括解除するだけでよい。
【産業上の利用可能性】
【００２８】
本発明は，テレビジョン受像機等に設けられるチャンネル選択装置への利用が可能である。
【図面の簡単な説明】
【００２９】
【図１】本発明の実施形態に係るテレビジョン受像機Ｘの概略構成を表すブロック図。
【図２】テレビジョン受像機Ｘの操作用リモコンのキー配置図。
【図３】テレビジョン受像機Ｘにおけるチャンネル設定処理の際の表示画面の第１の例を表す図。
【図４】テレビジョン受像機Ｘにおけるチャンネル設定処理の際の表示画面の第２の例を表す図。
【図５】テレビジョン受像機Ｘにおけるスキップチャンネル情報の構成例を表す図。
【図６】テレビジョン受像機Ｘにおけるチャンネル選択処理の手順を表すフローチャート。
【図７】本発明の実施例に係るテレビジョン受像機におけるスキップチャンネル設定画面の一例を表す図。
【図８】本発明の実施例に係るテレビジョン受像機におけるスキップチャンネル情報の構成例を表す図。
【図９】本発明の実施例に係るテレビジョン受像機におけるチャンネル選択処理の手順を表すフローチャート。
【符号の説明】
【００３０】
２…地上波放送チューナ
３…衛星放送チューナ
４…ＣＡＴＶチューナ
５…セレクタ
６…映像音声処理回路
７…映像音声出力部
８…制御回路
９…操作部
１０…無線インターフェース
１１…データ記憶部
３０…リモコン
Ｓ１，Ｓ２，，…処理手順（ステップ）
【図１】
2006109291.tif 000003
【図２】
2006109291.tif 000004
【図３】
2006109291.tif 000005
【図４】
2006109291.tif 000006
【図５】
2006109291.tif 000007
【図６】
2006109291.tif 000008
【図７】
2006109291.tif 000009
【図８】
2006109291.tif 000010
【図９】
2006109291.tif 000011